(57)【要約】【課題】顧客が撮影した画像をプリントするプリント店を選択する際に、ＧＰＳを使って現在位置から最短の距離にあるプリント店を選択していたが、それ以外の項目を考慮してプリント店を決定する。【解決手段】画像データのプリント注文を行なうときに、端末装置の表示器に現在位置または指定した位置を表示し、さらに少なくとも一つのプリント店またはプリント端末を通信手段を介して取得して表示し、さらに前記現在位置乃至は前記指定した位置からの前記プリント店までの距離、プリント待ち時間、プリント価格、特殊プリント可否等の複数の項目の内、距離を含む少なくとも二つの項目を表示し、前記表示されたプリント店またはプリント端末の中から所望のプリント店またはプリント端末をマニュアルまたは自動的に選択する選択手段を設ける。【選択図】図１
2010118031.tif 000002
【特許請求の範囲】
【請求項１】
画像データを保存した端末装置と、サーバーと、プリント依頼またはプリント受取のためのプリント店またはプリント端末とからなるプリントシステムで、前記端末装置は前記画像データを含む各種情報を表示する表示手段と、ＧＰＳ（Ｇｒｏｂａｌ  Ｐｏｓｉｔｉｏｎｉｎｇ  Ｓｅｎｓｉｎｇ  Ｓｙｓｔｅｍ）装置により自動的に、またはマニュアルに現在位置を入力する現在位置入力手段と、距離を出力する距離出力手段と、前記サーバー及び前記プリント店またはプリント端末と通信を行なう通信手段とを備え、前記表示手段は前記現在位置またはあらかじめ指定した位置を表示し、さらに前記サーバーを介して画像のプリント依頼またはプリント受取のための少なくとも一つのプリント店またはプリント端末とを表示し、さらに前記現在位置または前記指定した位置からの前記プリント店またはプリント端末までの距離、前記プリント店またはプリント端末から前記サーバーを介して得たプリント待ち時間、プリント価格、プリント紙、特殊プリント可否等の項目の内、距離を含む少なくとも二つの項目を取得して表示し、所望のプリント店またはプリント端末を選択する選択手段とを備えたプリントシステム。
【請求項２】
前記端末装置は少なくともレンズ、撮像素子、前記画像データを格納する記録媒体を備えたデジタルカメラである請求項１に記載のプリントシステム。
【請求項３】
前記端末装置は、画像を保存した記録媒体を備えた画像ストレージである請求項１に記載のプリントシステム。
【請求項４】
前記選択手段は前記プリント店または前記プリント端末をマニュアルに選択するマニュアル選択手段と所定のアルゴリズムで選択する自動選択手段とを備えた請求項１に記載のプリントシステム。
【請求項５】
画像データを保存した端末装置で、前記画像データを含む各種情報を表示する表示手段と、ＧＰＳにより自動的に、またはマニュアルに現在位置を入力する現在位置入力手段及び距離を出力する距離出力手段と、ネットワークを介して通信を行なう通信手段とを備え、前記表示手段は前記現在位置または指定した位置を表示し、さらに前記通信手段を介して画像のプリント依頼またはプリント受取のための少なくとも一つのプリント店またはプリント端末とを表示し、さらに前記現在位置または前記指定した位置からの前記プリント店またはプリント端末までの距離、前記プリント店ないしはプリント端末からサーバーを介して得たプリント待ち時間、プリント価格、プリント紙、特殊プリント可否等の項目の内、距離を含む少なくとも二つの項目を表示し、所望のプリント店またはプリント端末を選択する選択手段とを備えた端末装置。
【請求項６】
前記端末装置は少なくともレンズ、撮像素子、前記画像データを格納する記録媒体を備えたデジタルカメラである請求項４に記載の端末装置。
【請求項７】
前記端末装置は、画像を保存する記録媒体を備えた画像ストレージである請求項４に記載の端末装置。
【請求項８】
前記選択手段はマニュアルに前記プリント店または前記プリント端末を選択するマニュアル選択手段と所定のアルゴリズムで選択する自動選択手段とを備えた請求項４に記載の端末装置。
【発明の詳細な説明】
【技術分野】
【０００１】  本発明は、写真プリントをプリント店またはプリント端末に写真プリントを依頼するプリントシステム及びデジタルカメラ、画像を蓄えた画像ストレージ等の端末装置に関する。
【背景技術】
【０００２】  従来、写真プリントをいつも決めたプリント店に依頼するか、または出先で写真プリントを依頼することが多かったし、自宅の近くの写真店に依頼することも多かった。特許文献１のように現在位置をＧＰＳ（Ｇｒｏｂａｌ  Ｐｏｓｉｔｉｏｎｉｎｇ  Ｓｅｎｓｉｎｇ  Ｓｙｓｔｅｍ）で測定し、現在位置から最短距離にある写真店を選択する例が知られている。【０００３】  以下、図１２に基づいて特許文献１を説明する。
カメラ付き携帯電話のユーザーが、プリント注文の指示をカメラ付き携帯電話の操作で処理が開始され、カメラ付き携帯電話は、記憶部に記憶されたアプリケーションにより、登録プリント店及びプリント店データベースを参照して、ＧＰＳが取得した情報により表されるカメラ付き携帯電話の現在位置に最も近い場所にあるプリント店の情報及びユーザーの登録プリント店の情報を表示する。そして、ユーザーがプリント注文を行う画像データ、注文情報および情報を、選択したプリント店のサーバー６に送信する。【０００４】  サーバー６は、画像データ、注文情報および情報を受信すると、注文情報に基づいて画像データをプリント出力する。また、情報に基づいて案内情報を生成する。そして、プリント出力が完了したか否かの監視を開始し、肯定されると、プリントが完了した旨の情報を含む案内情報をカメラ付き携帯電話に送信し、カメラ付き携帯電話は案内情報を受信するとこれを表示し、処理を終了する。【０００５】
【特許文献１】  特開２００６−７２４７９号公報
【発明の開示】
【発明が解決しようとする課題】
【０００６】  しかしながら、現在位置から最も近いプリント店に写真プリントを依頼するような特許文献１があるが、顧客によっては多少遠くても低価格のプリント店があるならそのようなプリント店を選択したくなることもある。また、近距離にあってもプリントを待つ待ち時間が長いと多少遠くても待ち時間の短い店を選択したくなることもある。現在位置からもっとも近いプリント店またはプリント端末を選択するだけで、他の要因によっては選択しないというようなことは問題であった。
【課題を解決するための手段】
【０００７】  上記目的を達成するために、請求項１は画像データを保存した端末装置と、サーバーと、プリント依頼またはプリント受取のためのプリント店またはプリント端末とからなるプリントシステムで、前記端末装置は前記画像データを含む各種情報を表示する表示手段と、ＧＰＳ（Ｇｒｏｂａｌ  Ｐｏｓｉｔｉｏｎｉｎｇ  Ｓｅｎｓｉｎｇ  Ｓｙｓｔｅｍ）装置により自動的に、またはマニュアルに現在位置を入力する現在位置入力手段と、距離を出力する距離出力手段と、前記サーバー及び前記プリント店またはプリント端末と通信を行なう通信手段とを備え、前記表示手段は前記現在位置またはあらかじめ指定した位置を表示し、さらに前記サーバーを介して画像のプリント依頼またはプリント受取のための少なくとも一つのプリント店またはプリント端末とを表示し、さらに前記現在位置または前記指定した位置からの前記プリント店またはプリント端末までの距離、前記プリント店またはプリント端末から前記サーバーを介して得たプリント待ち時間、プリント価格、プリント紙、特殊プリント可否等の項目の内、距離を含む少なくとも二つの項目を取得して表示し、所望のプリント店またはプリント端末を選択する選択手段とを備えたプリントシステムを提供するものである。【０００８】  請求項２は前記端末装置がデジタルカメラであり、請求項３は前記端末装置が画像を記録する画像ストレージであり、請求項４は前記選択手段はマニュアルに選択するマニュアル選択手段と所定のアルゴリズムで自動的に選択する自動選択手段とを備えた請求項１に記載のプリントシステムを提供するものである。【０００９】  請求項５は、画像データを保存した端末装置で、前記画像データを含む各種情報を表示する表示手段と、ＧＰＳにより自動的に、またはマニュアルに現在位置を入力する現在位置入力手段及び距離を出力する距離出力手段と、ネットワークを介して通信を行なう通信手段とを備え、前記表示手段は前記現在位置または指定した位置を表示し、さらに前記通信手段を介して画像のプリント依頼またはプリント受取のための少なくとも一つのプリント店またはプリント端末とを表示し、さらに前記現在位置または前記指定した位置からの前記プリント店またはプリント端末までの距離、前記プリント店ないしはプリント端末からサーバーを介して得たプリント待ち時間、プリント価格、プリント紙、特殊プリント可否等の項目の内、距離を含む少なくとも二つの項目を表示し、所望のプリント店またはプリント端末を選択する選択手段とを備えた端末装置を提供するものである。【００１０】  請求項６は、前記端末装置がデジタルカメラであり、請求項７は、前記端末装置が画像ストレージであり、請求項８は前記選択手段をマニュアルに選択する手段と所定のアルゴリズムで選択する自動選択手段とを備えた請求項５に記載の端末装置を提供するものである。
【発明の効果】
【００１１】  上述したように本発明のプリントシステム及び端末装置の表示器はプリント可能な少なくとも一つのプリント店またはプリント端末を表示し、端末装置の現在位置または指定した位置からの距離、プリント待ち時間、プリント価格、プリント紙、特殊プリント可否等の複数の項目からプリント店またはプリント端末までの距離を含む少なくとも二つの項目に従ってプリント店またはプリント端末を選択可能にした端末装置であるので、現在位置または指定した位置からの距離だけでなく、価格の安さで、または待ち時間が短い、プリント紙の質によってプリント店またはプリント端末を選択できる効果を有する。
【発明を実施するための最良の形態】
【００１２】  以下、本発明の実施形態を図１〜図１１に基づいて説明する。【００１３】  図１は本発明の端末装置の概念図である。
１は端末装置、例えばデジタルカメラまたは画像を蓄積する画像ストレージで、２は画像を記録する記録媒体を、３は表示器を示す。４は操作スイッチ群であり、４１は端末装置１の現在位置をＧＰＳ装置で出力または現在位置を郵便番号、または住所等で入力するための操作スイッチである。不図示の電源スイッチをオンさせると、操作スイッチ４１の操作で端末装置１に内蔵された不図示のアンテナを介して不図示の衛星をからの信号により、またはマニュアル入力、例えば郵便番号、住所等の入力で現在位置が表示器３に示される。５はネットワークを示し、６で示すサーバーと通信する。７はネットワークを示し８Ａ〜８Ｄで示すプリント店と通信を行う。プリント店８Ａ〜８Ｄの中に９Ａ〜９Ｄで示すプリント端末が配されている。それぞれのプリンタ端末９Ａ〜９Ｄに接続された１０Ａ〜１０Ｄで示す記録媒体接続部と端末装置１に組み込まれた記録媒体２と接続して不図示のプリント操作部材の操作で画像をプリントを行う。【００１４】  表示器３には下部にプリント店またはプリント端末選択部３１〜３５が設けられ、３１は特殊プリント優先度選択部、３２は低価格優先度選択部、３３は待ち時間優先度選択部、３４は近距離優先度選択部、３５は自動選択部を示し、それぞれの選択部３１〜３５には不図示のタッチセンサーと不図示の電気回路が設けられている。前記選択部３１〜３５に触れるとそれぞれの選択部が選択される。【００１５】  図２は操作スイッチ群４の操作時のブロック図を示す。１１で示す切換制御装置を介して操作部スイッチ群４の操作スイッチ４１のオン操作でＧＰＳ装置またはマニュアル入力等で現在位置情報を取得、操作スイッチ群４の操作スイッチ４２のオン操作でネットワーク５を介してサーバー６より得られる現在位置近傍のプリント店８Ａ〜８Ｄを表示する。また操作スイッチ群４の操作スイッチ４３のオン操作でサーバー６を介してプリント店８Ａ〜８Ｄのサービス状況を表示する。【００１６】  図１はプリント店８Ａ〜８Ｄを選択する実施例であったが、図３はプリント端末９Ａ〜９Ｄを選択する実施例である。サーバー６とプリント端末９Ａ〜９Ｄがネットワーク７を介して接続されている。プリント店は店舗としての形をもっているが、プリント端末は電話ボックスのようなプリントボックスのような形をしており、前記デジタルカメラまたは前記画像ストレージと接続可能な記録媒体結合部１０Ａ〜１０Ｄが設けられている。例えばプリントボックスのような形の中にプリント端末９Ａは記録媒体結合部１０Ａが出ており、そこにデジタルカメラまたは画像ストレージを接続してプリント可能となる。【００１７】  図４は図３に基づくＧＰＳまたはマニュアル入力で現在位置情報取得、プリント端末、プリント端末のサービス状況を示す図であり、図２のプリント店がプリント端末に代わったものである。【００１８】  図５は操作スイッチ４１のオン操作による図を示す。ＧＰＳ、マニュアル入力等で現在位置を出力し、表示器３に１２で示すようにサーバー６から供給された地図の上のＸで示すように現在位置が示される。【００１９】  図６は操作スイッチ４２のオン操作による図を示す。ネットワーク５を介してサーバー６に記憶されているプリント店またはプリント端末が表示器３上の地図１２上に現在位置Ｘ近傍に示され、即ちプリント店８Ａ〜８Ｄまたはプリント端末９Ａ〜９Ｄが表示される。【００２０】  さらに図７は操作スイッチ４３のオン操作により１３で示すように各プリント店またはプリント端末のサービス状況を表示する。ここで、各プリント店またはプリント端末について拡大プリントが可能かどうか、価格（Ｌ）はＬサイズのプリント価格、プリントを待つ待ち時間、プリント店またはプリント端末までの距離を示している。これらの情報はサーバー６から端末装置１にネットワーク５を介して提供される。【００２１】  図８はプリント店またはプリント端末選択の作動を示すブロック図である。
図１、図３にあるように表示器３の下部にある特殊プリント優先度選択部３１、低価格優先度選択部３２、待ち時間優先度選択部３３、近距離優先度選択部３４、自動選択部３５とが設けられ、図８の特殊プリント優先度選択部ブロック３１Ａ、低価格優先度選択部ブロック３２Ａ、時間優先度選択部ブロック３３Ａ、近距離優先度選択部ブロック３４Ａ、自動選択部ブロック３５Ａが対応する。即ち図１、図３の表示器３のそれぞれの選択部３１〜３５を触ると不図示のタッチスイッチが作動すると、それぞれの選択ブロック３１Ａ〜３５Ａが１４で示すプリント店またはプリント端末選択制御装置に入力される。【００２２】  特殊プリント優先度選択部３１、低価格優先度選択部３２、待ち時間優先度選択部３３、近距離優先度選択部３４、自動選択部３５のタッチする順番で優先度が入力され、所望のプリント店またはプリント端末が選択される。
例えば、特殊プリント優先度選択部３１の優先度を４位、低価格優先度選択部３２の優先度を１位、待ち時間優先度選択部３３を３位、近距離優先度選択部３４を２位というように優先度の順位をつけると、まず低価格優先度選択部３２にタッチし、次に近距離優先度選択部３４がタッチされ、次に時間優先度選択部３３がタッチされる。特殊プリント優先度選択部は第４優先であるので最後にタッチされるとプリント店またはプリント端末選択制御装置１４によりプリント店またはプリント端末選択が行われる。【００２３】  図９は図８のプリント店またはプリント端末選択の作動の内容を示すフローチャートである。
Ｓ１で例えば大判サイズのような特殊プリントの「特殊優先」か否かで判断し、「可」の場合には「特殊優先」プリント店またはプリント端末を選択し、「否」のときはＳ２に進み、「低価格優先」か否かに進み、「可」の場合は「低価格優先」プリント店またはプリント端末を選択し、そうでない「否」の場合にはＳ３のように「待ち時間」が少ない「待ち時間優先」か否かに進み、「可」の場合には「待ち時間少」のプリント店またはプリント端末を選択し、そうでもない「否」の場合にはＳ４のプリント店またはプリント端末までの距離が近い「近距離優先」か、「否」に進む。「可」なら「近距離優先」プリント店またはプリント端末を選択し、「否」の場合には「自動選択」に入って、所定のアルゴリズムでプリント店またはプリント端末を選択する。【００２４】    しかしながら、希望する項目で複数のプリント店またはプリント端末が存在する場合がある。そのような場合について、図１０のフローチャートで説明する。
例えばある顧客の優先度は第１優先が「価格」、第２優先が現在位置からプリント店またはプリント端末までの「距離」、第３優先が「待ち時間」であるとし、そのような場合のプリント店またはプリント端末の選択について説明する。
Ｓ１１で第１優先の項目で該当するものが単数か否かをみる。上述の例の「価格」が最低価格のプリント店またはプリント端末が単数か否かをみる。そこで複数あるとすれば、次にＳ１２に進み、「価格」が最低の店の中で「距離」が最も近い距離にある店が複数かるかどうかをみる。まだ、複数あるとすれば、Ｓ１３に進み、「価格」が最低で、「距離」が最も近い店で「待ち時間」がもっとも短いプリント店を探す。そこでまだ複数あるとすれば、「価格」が最低で、「距離」が最も近い店で「待ち時間」がもっとも短いプリント店の中からいずれかを選択する。【００２５】  上述の例で図７をもとに実際にここではプリント店の選択について考える。顧客の優先度の第１優先が「価格」であるので、Ｓ１１ではプリント店８Ａと８Ｃの二つが選択され、単数でないのでＳ１２に進む。第２優先の「距離」では、プリント店８Ａと８Ｃの内で、プリント店８Ｃが近いので８Ｃを選択して選択は終了する。プリント端末の選択も同様である。【００２６】  プリント店またはプリント端末選択に関してどの項目が優先か決められない顧客があるとする。その顧客をＢ顧客とする。その場合に自動選択を選ぶ際のアルゴリズムを図７の例を基に述べる。ここでもプリント店について検討する。Ｂ顧客にとって各項目の好まれる順位を述べると、
プリント店８Ａは「価格」は１位、「待ち時間」は１位、「距離」は２位、
プリント店８Ｂは「価格」は３位、「待ち時間」は２位、「距離」は３位、
プリント店８Ｃは「低格」は１位、「待ち時間」は３位、「距離」は１位、
プリント店８Ｄは「価格」は３位、「待ち時間」は４位、「距離」は４位
総合的に決定するのであるのでそれぞれの順位を乗算して最小となる値をもってプリント店を決定する。
プリント店８Ａは１×１×２＝２、プリント店８Ｂは３×２×３＝１８、プリント店８Ｃは１×３×１＝３、プリント店３×４×３＝３６となり、プリント店８Ａが最小となり選択される。プリント端末の場合も同様である。【００２７】  上記アルゴリズムでは自動選択の場合には上述の例では各項目の「順位」を乗算した結果を用いてプリント店またはプリント端末を決定したが、以下のように実数値を乗算して決定してもよい。
プリント店８Ａは１０×１×５＝５０、プリント店８Ｂは１２×２×７＝１６８、プリント店８Ｃは１０×２．５×３＝７５、プリント店８Ｄは１２×３×７＝２５２であり、プリント店８Ａが最小であるのでプリント店８Ａを選択する。プリント端末の選択も同様に可能である。【００２８】  また、実数値でなくて順位を重み付けした値を乗算して求めてプリント店またはプリント端末を選択する方法もある。例えば自動選択だが強いて言えば「価格」が最も優先したい場合には「価格」について、低い値にして加算値の最低値であるプリント店またはプリント端末を選択してもよい。【００２９】  図１〜図７は現在位置を検出する際に用いたが、図１１は、第３の実施例を示し、現在位置とは別に事務所とか自宅にいないときには、マニュアル入力した位置Ｙからプリント店またはプリント端末の近距離を求める。図１２はそのときの距離の値を変更した図を示す。【００３０】  これまでの例では項目として拡大プリント可／不可、価格、待ち時間、近距離について示したが、この他にプリント用紙の質を加えてもよい。【００３１】  なお、図１、図３で記録媒体２とプリント端末の記録媒体結合部１０Ａ〜１０Ｄとの結合を機械的に行なっているが、記録媒体結合部１０Ａ〜１０Ｄの先端に無線通信部を設けて記録媒体２の情報をプリント端末９Ａ〜９Ｄに取り込んでよいことは言うまでもない。
【図面の簡単な説明】
【００３２】
【図１】  本発明の第１の実施例の概念図
【図２】  第１の実施例における操作スイッチ群４の操作のブロック図
【図３】  本発明の第２の実施例の概念図
【図４】  第２の実施例における操作スイッチ群４の操作のブロック図
【図５】  操作スイッチ４１のオン操作時の表示器の画面例
【図６】  操作スイッチ４２のオン操作時の表示器の画面例
【図７】  操作スイッチ４３のオン操作時の表示器の画面例
【図８】  本発明の第１、２の実施例のプリント店乃至プリント端末の選択の作動を示すブロック図
【図９】  本発明の第１、２の実施例のプリント店またはプリント端末の選択のフローチャート
【図１０】  本発明の第３実施例を示す。
【図１１】  第３実施例における操作スイッチ４３のオン操作時の表示器の画面例
【図１２】  従来例
【符号の説明】
【００３２】１              端末装置
２              記録媒体
３              表示器
４              操作スイッチ群
４１、４２、４３    操作スイッチ
５              ネットワーク
６              サーバー
７              ネットワーク
８Ａ〜８Ｄ      プリント店
９Ａ〜９Ｄ      プリント端末
１０Ａ〜１０Ｄ  記録媒体結合部
１１            切換制御装置
１２            地図
１３            各プリント店またはプリント端末のサービス状況
１４            プリント店またはプリント端末選択制御装置
【図１】
2010118031.tif 000003
【図２】
2010118031.tif 000004
【図３】
2010118031.tif 000005
【図４】
2010118031.tif 000006
【図５】
2010118031.tif 000007
【図６】
2010118031.tif 000008
【図７】
2010118031.tif 000009
【図８】
2010118031.tif 000010
【図９】
2010118031.tif 000011
【図１０】
2010118031.tif 000012
【図１１】
2010118031.tif 000013
【図１２】
2010118031.tif 000014
【図１２】
2010118031.tif 000015
【手続補正書】
【提出日】平成21年1月28日(2009.1.28)
【手続補正１】
【補正対象書類名】明細書
【補正対象項目名】００３２
【補正方法】変更
【補正の内容】
【００３２】
【図１】  本発明の第１の実施例の概念図
【図２】  第１の実施例における操作スイッチ群４の操作のブロック図
【図３】  本発明の第２の実施例の概念図
【図４】  第２の実施例における操作スイッチ群４の操作のブロック図
【図５】  操作スイッチ４１のオン操作時の表示器の画面例
【図６】  操作スイッチ４２のオン操作時の表示器の画面例
【図７】  操作スイッチ４３のオン操作時の表示器の画面例
【図８】  本発明の第１、２の実施例のプリント店乃至プリント端末の選択の作動を示すブロック図
【図９】  本発明の第１、２の実施例のプリント店またはプリント端末の選択のフローチャート
【図１０】  本発明の第３実施例を示す。
【図１１】  第３実施例における操作スイッチ４２のオン操作時の表示器の画面例
【図１２】  第３実施例における操作スイッチ４３のオン操作時の表示器の画面例
【図１３】  従来例
【手続補正２】
【補正対象書類名】図面
【補正対象項目名】全図
【補正方法】変更
【補正の内容】
【図１】
2010118031.tif 000016
【図２】
2010118031.tif 000017
【図３】
2010118031.tif 000018
【図４】
2010118031.tif 000019
【図５】
2010118031.tif 000020
【図６】
2010118031.tif 000021
【図７】
2010118031.tif 000022
【図８】
2010118031.tif 000023
【図９】
2010118031.tif 000024
【図１０】
2010118031.tif 000025
【図１１】
2010118031.tif 000026
【図１２】
2010118031.tif 000027
【図１３】
2010118031.tif 000028
【手続補正３】
【補正対象書類名】明細書
【補正対象項目名】０００３
【補正方法】変更
【補正の内容】
【０００３】  以下、図１３に基づいて特許文献１を説明する。
カメラ付き携帯電話のユーザーが、プリント注文の指示をカメラ付き携帯電話の操作で処理が開始され、カメラ付き携帯電話は、記憶部に記憶されたアプリケーションにより、登録プリント店及びプリント店データベースを参照して、ＧＰＳが取得した情報により表されるカメラ付き携帯電話の現在位置に最も近い場所にあるプリント店の情報及びユーザーの登録プリント店の情報を表示する。そして、ユーザーがプリント注文を行う画像データ、注文情報および情報を、選択したプリント店のサーバー６に送信する。